【事件の表示】
　平成　４年特許願第３２８３７２号「バーコード記号を走査及び解読する方法及び装置」拒絶査定に対する審判事件〔平成　６年　５月３１日出願公開、特開平　６−１５００４９、請求項の数（１７）〕について、次のとおり審決する。
【結　論】
　原査定を取り消す。
　本願の発明は、特許すべきものとする。
【理　由】
１．手続の経緯、本件発明
　本願は、平成４年１０月２７日の出願であって、その請求項１乃至１７に係るそれぞれの発明（以下、本件第１発明乃至本件第１７発明という。）は、平成１１年１０月２７日付けの手続補正書により補正された明細書及び図面の記載からみて、その特許請求の範囲の請求項１乃至１７に記載された次のとおりのものである。
「【請求項１】　バーコード記号を視野に入れるとともに、メモリ付き信号処理装置に結合されているイメージセンサを使用する、
　バーコード記号を走査及び解読する方法であって、
　上記信号処理装置からの走査始動信号即ちＳＯＳ信号を第１信号レベルにセットするステップ（ａ）と、
　ＳＯＳ信号が第１信号レベルにある間に、バーコードを代表するディジタルデータ信号をＣＣＤセンサから読取るステップ（ｂ）と、
　上記ＣＣＤセンサから読取られた上記バーコードを代表するディジタルデータ信号をメモリに記憶するステップ（ｃ）と、
　上記バーコードを代表するディジタルデータ信号が有効か無効かを決定するために、ＳＯＳ信号が第２信号レベルにある時に、記憶されたデータ信号を確認及び解読するステップ（ｄ）と、
　無効バーコードデータ信号が解読された時はいつでも、ステップ（ａ）を繰返すように、バーコードを視野に入れている上記ＣＣＤセンサからのバーコードデータ信号を再読取りするためにＳＯＳ第１レベル信号を直ちに再始動させるステップ（ｅ）と、
　を含有する、
　バーコード記号を走査及び解読する方法。
【請求項２】　請求項１記載のバーコード記号を走査及び解読する方法であって、しかも、
　上記バーコードを代表するディジタルデータ信号が有効か無効かを確認した時はいつでも、前記バーコード記号の走査を直ちに再始動させる、
　バーコード記号を走査及び解読する方法。
【請求項３】　請求項２記載のバーコード記号を走査及び解読する方法であって、しかも、
　前記ステップ（ｄ）の後に、前記バーコードを代表するディジタルデータ信号が有効と確認された時はいつでも、前記ステップ（ａ）を繰返すように、ＳＯＳ第１レベル信号を直ちに再始動させるステップを含有し、これによって、ＳＯＳ第２レベル信号の持続時間を最小化し、ＣＣＤデータ収集走査速度を最大化する、
　バーコード記号を走査及び解読する方法。
【請求項４】　請求項３記載のバーコード記号を走査及び解読する方法であって、しかも、
　読取りの前記ステップ（ｂ）は、前記バーコードを代表するディジタルデータ信号を作るために前記バーコードデータ信号を濾波及びディジタル化するステップを含有する、
　バーコード記号を走査及び解読する方法。
【請求項５】　請求項３記載のバーコード記号を走査及び解読する方法であって、しかも、
　前記ＳＯＳ信号に応答して、ランプ手段を使用して前記バーコード記号を照射するステップを含有する、
　バーコード記号を走査及び解読する方法。
【請求項６】　請求項３記載のバーコード記号を走査及び解読する方法であって、しかも、
　マイクロコントローラの出力に応答してＳＯＳ信号を再始動させるタイミング回路を付加的に使用し、
　上記タイミング回路は前記ＣＣＤセンサのシフトレジスタに結合されている、　バーコード記号を走査及び解読する方法。
【請求項７】　請求項６記載のバーコード記号を走査及び解読する方法であって、しかも、
　上記タイミング回路は収集したバーコードデータ信号を上記ＣＣＤセンサのシフトレジスタから上記マイクロコントローラにシフトする、
　バーコード記号を走査及び解読する方法。
【請求項８】　請求項５記載のバーコード記号を走査及び解読する方法であって、しかも、
　イメージセンサが有効又は無効のバーコード記号の何れを走査しているかを決
定するために、ステップ（ｄ）の記憶データ信号を検査し、
　バーとスペースが走査されるステップ（ｅ）に応答してＬＥＤランプに与える変数としての「閃光放射時間」を、確定した順序に従って増加させ、
　データ信号が有効と確認された時にステップ（ｆ）に応答して上記「閃光放射時間」を最小値にリセットするステップを付加的に含有する、
　バーコード記号を走査及び解読する方法。
【請求項９】　請求項８記載のバーコード記号を走査及び解読する方法であって、しかも、
　上記マイクロコントローラを上記ＬＥＤランプに結合するＬＥＤドライバを含有し、上記マイクロコントローラは上記ＳＯＳ信号の始動時に、前記ＬＥＤランプの前記「閃光放射時間」を増加させる、
　バーコード記号を走査及び解読する方法。
【請求項１０】　バーコード記号を走査及び解読する装置であって、
　ＳＯＳ第１レベル信号及びＳＯＳ第２レベル信号を発生するタイミング回路を有するマイクロコントローラと、
　上記マイクロコントローラに結合され、バーコード記号を視野に入れ、ＳＯＳ第１レベル信号に応答してバーコード記号を走査し、バーコードを代表するディジタルデータ信号を発生させるイメージセンサと、
　上記イメージセンサに結合され、上記イメージセンサで読取られた上記バーコードを代表するディジタルデータ信号を内部に記憶するメモリ装置と、
　を含有し、
　上記マイクロコントローラは、ＳＯＳ信号が第２レベルにある時上記メモリ装置内の記憶データ信号を確認及び解読して上記バーコードを代表するディジタルデータ信号が有効か無効かを決定し、かつ無効バーコードデータ信号が解読された時はいつでも直ちにＳＯＳ第１レベル信号を再始動させる手段を含有する
　バーコード記号を走査及び解読する装置。
【請求項１１】　上記イメージセンサは電荷結合素子（ＣＣＤ）センサである、
　請求項１０記載のバーコード記号を走査及び解読する装置。
【請求項１２】　無効バーコードデータ信号が解読されるや否や前記ＳＯＳ第１レベル信号が再始動され、バーコード記号を視野に入れている前記ＣＣＤセンサからのバーコードデータ信号を再読取りさせる請求項１１記載のバーコード記号を走査及び解読する装置であって、
　バーコードデータ信号が無効と確認された時はいつでも、上記マイクロコントローラが直ちにＳＯＳ第１レベル信号を再始動させて、バーコードデータ信号を再収集する様にし、これによってＳＯＳ第２レベル信号の持続時間を最小化し、　バーコードデータ信号が有効又は無効と確認された時はいつでもバーコード記号の走査を直ちに再始動させることにより、ＣＣＤデータ収集走査速度が最大化される、
　バーコード記号を走査及び解読する装置。
【請求項１３】　請求項１２記載のバーコード記号を走査及び解読する装置であって、しかも、
　データ信号から雑音と不要信号とを除去して、上記バーコードを代表するディジタルデータ信号を発生させるためのフィルタとディジタイザとを付加的に含有する、
　バーコード記号を走査及び解読する装置。
【請求項１４】　上記ＳＯＳ信号に応答してバーコード記号を照明するランプ装置を含有する、
　請求項１２記載のバーコード記号を走査及び解読する装置。
【請求項１５】　請求項１３記載のバーコード記号を走査及び解読する装置であって、しかも、
　上記マイクロコントローラに結合され、前記ＬＥＤランプに結合した出力端子を有するＬＥＤドライバ回路と、
　上記ＳＯＳ信号と上記マイクロコントローラに応答して、代表データが無効である時点からデータ信号が有効になる時点迄の間前記ＬＥＤランプの前記「閃光放射時間」を増加させる手段と、
　を付加的に包含する、
　バーコード記号を走査及び解読する装置。
【請求項１６】　請求項１５記載のバーコード記号を走査及び解読する装置であって、しかも、
　上記「閃光放射時間」を増加させる手段は、最初の無効信号の読取り直後に前記ＬＥＤランプへの電流を初期値に最初の増分変化量を上乗せする形式で増加させ、更に有効バーコードが読まれる迄前記ＬＥＤランプへの電流を増分変化量の形式で増加させ、且前記ＬＥＤランプへの電流を初期値にリセットする手段を包含する、
　バーコード記号を走査及び解読する装置。
【請求項１７】　バーコード記号を走査及び解読する装置であって、
　ＳＯＳ第１レベル信号とＳＯＳ第２レベル信号を発生するタイミング回路を有するマイクロコントローラと、
　上記マイクロコントローラに結合され、バーコードを視野に入れ、ＳＯＳ信号に応答してバーコードを走査し、バーコードを代表するディジタルデータ信号を発生するイメージセンサと、
　上記イメージセンサに結合され、上記イメージセンサによって読取られた代表データ信号を内部に記憶するためのメモリ装置と、
　を含有し、
　上記マイクロコントローラは、ＳＯＳ信号が第２レベルにある時上記メモリ装置内の記憶データ信号を確認及び解読して、上記バーコードを代表するディジタルデータ信号が有効か無効かを決定し、且ＳＯＳ信号が第２レベルにある期間をバーコードデータ信号の有効性の関数として制御する手段を含有する、
　バーコード記号を走査及び解読する装置。」
　なお、請求項８のステップ（ｆ）がどのようなステップであるのか明確でないが、本件の明細書及び図面を参照すると、請求項８の「閃光放射時間」を最小値にリセットするステップは、データ信号が有効と確認された時に、前記ステップ（ａ）を繰り返すように、ＳＯＳ第１信号を直ちに再始動させるステップに応答して実行されていることからみて、上記ステップ（ｆ）とは、請求項３に記載されたステップのことと解される。
２．原査定の理由
　これに対し、原査定の拒絶理由の概要は、本件第１発明乃至本件第７発明、本件第１０発明乃至第１４発明、本件第１７発明が、その出願前日本国内において頒布された引用文献１（特開平２−２０６８９２号公報）、引用文献２（特開昭６３−３４６７８号公報）に記載された発明に基いて、その出願前にその発明の属する技術の分野における通常の知識を有する者が容易に発明をすることができたものであるから、特許法第２９条第２項の規定により特許を受けることができないとするものであり、具体的には、拒絶理由通知の備考及び拒絶査定の備考において、次のように指摘している。
（拒絶理由通知の備考）
「請求項１ー７、１０ー１４、１７について
　バーコードの読み取り装置において、復号不能の時に再読み取りすることは引用文献１に記載されており、イメージセンサを用いてバーコードを読み取ることは引用文献２に記載されている。」
（拒絶査定の備考）
「カードを移動させないでバーコード記号を走査することは請求項１から１７に記載されていない。」
３．当審の判断
　そこで、検討すると、本件第１発明は、「無効バーコードデータ信号が解読された時はいつでも、ステップ（ａ）を繰返すように、バーコードを視野に入れている上記ＣＣＤセンサからのバーコードデータ信号を再読取りするためにＳＯＳ第１レベル信号を直ちに再始動させるステップ（ｅ）」を有することを一つの特徴とし、本件第１０発明は、「マイクロコントローラは、ＳＯＳ信号が第２レベルにある時上記メモリ装置内の記憶データ信号を確認及び解読して上記バーコードを代表するディジタルデータ信号が有効か無効かを決定し、かつ無効バーコードデータ信号が解読された時はいつでも直ちにＳＯＳ第１レベル信号を再始動させる手段を含有する」ことをそれぞれ一つの特徴とし、また、本件第１７発明は、「バーコードを代表するディジタルデータ信号が有効か無効かを決定し、且ＳＯＳ信号が第２レベルにある期間をバーコードデータ信号の有効性の関数として制御する手段を含有する」ことを一つの特徴としているところ、上記引用文献１には、バーコードに復号不能状態を示すデコードエラーが生じた場合に、第１タイマーの設定時間（カード搬送手段がカードを再走査するための位置に搬送するのに要する時間）の経過後にスキャナーを再スタートさせることが記載されているに留まり、本件第１発明、本件第１０発明及び本件第１７発明の上記特徴に関連する記載はない。また、上記引用文献２には、イメージセンサを用いてバーコードを読み取るバーコード読取り装置が記載されているが、本件第１発明、本件第１０発明及び本件第１７発明の上記特徴に関連する記載ない。
  そして、本件第１発明、本件第１０発明及び本件第１７発明の上記特徴が本件出願前周知であるとする証拠も見あたらない。
　したがって、その余を検討するまでもなく、本件第１発明、本件第１０発明及び本件第１７発明が上記刊行物１乃至２記載の発明の基づいて、当業者が容易に発明をすることができたとすることはできない。
  また、本件第２発明乃至本件第７発明は請求項１を引用し、本件第１１発明乃至本件第１４発明は請求項１０を引用しているところ、本件第１発明及び本件第１０発明が、上記刊行物１乃至２記載の発明に基づき当業者が容易に発明をすることができたとすることはできない以上、本件第２発明乃至本件第７発明、本件第１１発明乃至本件第１４発明が、上記刊行物１乃至２記載の発明に基づき当業者が容易に発明をすることができたとすることはできない。
４．まとめ
　以上のとおりであるから、本件第１発明乃至本件第７発明、本件第第１０発明乃至本件第１４発明、本件第１７発明が、特許法第２９条第２項の規定により特許を受けることができないとすることはできない。
　また、他に本願を拒絶すべき理由を発見しない。
　
  よって、結論のとおり審決する。